(57)【要約】【課題】一組のジャンパ線の接続が容易なジャンパ線用くさび型クランプを提供する。【解決手段】くさび型クランプ１０は、クランプ体１と一対のくさび体２・２を備える。クランプ体１は、縮径方向が異なる一対のテーパー穴１ａ・１ｂを開口している。一対のくさび体２は、ジャンパ線７２を挿通自在な貫通穴２ｈを中心部に開口したテーパー管からなる。又、くさび体２は、先端部の細径側から基端部の太径側に向かって、軸中心と略平行に切り欠いた一対のスリット２ｓ・２ｓを有する。一対のくさび体２・２をテーパー穴１ａ・１ｂに打ち込んだ状態では、これらのくさび体２・２は、ジャンパ線７２をその外周方向から押圧自在に、くさび体２の貫通穴２ｈを縮径できる。そして、くさび型クランプ１０は、一組のジャンパ線７２・７２を互いに離反が困難に機械的及び電気的に接続できる。【選択図】図１
2017163707.tif 000002
【特許請求の範囲】
【請求項１】
互いに離反する方向に引き合う一組のジャンパ線をクランプするためのジャンパ線用くさび型クランプであって、
中心が互いに略平行に配置され、一方の面から他方の面に貫通した一対のテーパー穴を有し、一方の前記テーパー穴が一方の面から他方の面に向けて漸次縮径し、他方の前記テーパー穴が一方の面から他方の面に向けて漸次拡径した、略直方体の導電性を有するクランプ体と、
前記ジャンパ線を挿通自在な貫通穴を中心部に開口し、前記テーパー穴の拡径側から細径側を先頭に当該テーパー穴に挿入自在な、テーパー管からなる一対の導電性を有するくさび体と、を備え、
前記くさび体は、先端部の細径側から基端部の太径側に向かって、軸中心と略平行に切り欠いた複数のスリットを有し、
前記くさび体を前記テーパー穴に打ち込んだ状態では、前記ジャンパ線をその外周方向から押圧自在に当該くさび体の貫通穴を縮径できる、ジャンパ線用くさび型クランプ。
【請求項２】
前記くさび体は、前記ジャンパ線の口径に対応し、前記貫通穴の直径が異なる複数種類のくさび体からなる、請求項１記載のジャンパ線用くさび型クランプ。
【請求項３】
前記くさび体は、細径側から太径側に向けて延在し、外周から突出した回り止め用の一つ以上のキーを有し、
前記クランプ体は、前記キーに嵌合するキー溝を前記テーパー穴の内壁に穿設している、請求項１又は２記載のジャンパ線用くさび型クランプ。
【請求項４】
前記くさび体は、抜け止め用の鍔部を太径側に有している、請求項１から３のいずれかに記載のジャンパ線用くさび型クランプ。
【請求項５】
前記くさび体の細径側の端面に当接自在な半円弧体状のくさび体押し当て具を更に備える、請求項１から４のいずれかに記載のジャンパ線用くさび型クランプ。
【発明の詳細な説明】
【技術分野】
【０００１】
本発明は、ジャンパ線用くさび型クランプに関する。特に、電柱又は鉄塔に架設した一方の架空送電線と電気的に接続したジャンパ線と他方の架空送電線と電気的に接続したジャンパ線を、電柱又は鉄塔を跨いで、これらのジャンパ線を機械的及び電気的に接続するジャンパ線用くさび型クランプの構造に関する。
【背景技術】
【０００２】
風雪害などにより、電柱又は鉄塔に架設した架空送電線が断線した場合には、断線した架空送電線を張り替えている。そして、張り替えた一方の架空送電線と電気的に接続したジャンパ線と正常な他方の架空送電線と電気的に接続したジャンパ線をＰＧ（Ｐａｒａｌｅｌ  Ｇｒｏｏｖｅｄ）クランプなどを用いて、これらのジャンパ線を機械的及び電気的に接続している。
【０００３】
図５は、従来技術によるＰＧクランプを用いた送電線路の構成を示す正面図である。図５を参照すると、高圧の電力を運ぶ送電線路は、地上に設置された鉄塔Ｔに架空送電線（以下、電線と略称する）７１を架設している。電線７１の一端は、引留クランプ８に設けた一方の圧縮スリーブ８ａに圧縮接続されている。引留クランプ８は、碍子７０を介して鉄塔Ｔに架設されている。
【０００４】
図５を参照すると、ジャンパ線７２の一端は、引留クランプ８に設けた他方の圧縮スリーブ８ｂに圧縮接続されている。鉄塔Ｔの反対側にも、同様の引留クランプ８を配置しており、ジャンパ線７２は、鉄塔Ｔを跨いで、一組の電線７１・７１を電気接続している。
【０００５】
図５を参照すると、電線７１とジャンパ線７２との間には、バイパス線９０を配置している。一方のＰＧクランプ９は、電線７１とバイパス線９０の一端を接続（把持）している。他方のＰＧクランプ９は、ジャンパ線７２とバイパス線９０の他端を接続（把持）している。中央のＰＧクランプ９は、一方のジャンパ線７２と他方のジャンパ線７２を接続（把持）している。
【０００６】
図５に示したようなＰＧクランプ９は、一般に、一対のクランプ板の間に一組の電線を配置し、ボルトとナットでこれらのクランプ板を締め付けるように構成している（例えば、特許文献１参照）。
【０００７】
又、図５に示した引留クランプ８に類似したものとして、鋼心アルミ撚り線と比べて、外周方向から均一に把持されることが要求される繊維強化電線を鉄塔などに引留める繊維強化電線用くさび型クランプが開示されている（例えば、特許文献２参照）。
【先行技術文献】
【特許文献】
【０００８】
【特許文献１】実開昭５３−１１５９０号公報
【特許文献２】特開２００１−７８３４１号公報
【発明の概要】
【発明が解決しようとする課題】
【０００９】
図６は、特許文献１にも開示された、従来技術によるＰＧクランプの構成を示す図であり、図６（Ａ）は、ＰＧクランプの正面図、図６（Ｂ）は、ＰＧクランプの右側面図である。図６を参照すると、ＰＧクランプ９は、一対の導電性のクランプ板９１・９２を備えている。
【００１０】
図６を参照すると、クランプ板９１は、一組のスタッドボルト９ｂ・９ｂを立設している。クランプ板９２は、これらのスタッドボルト９ｂ・９ｂが貫通する穴（図示せず）を開口している。クランプ板９１の内壁には、一組の電線ｗ１・ｗ２の外径の対応した半径を有する一対の円弧溝９１ｇ・９１ｇを形成している。同様に、クランプ板９２の内壁には、一組の電線ｗ１・ｗ２の外径の対応した半径を有する一対の円弧溝９２ｇ・９２ｇを形成している。
【００１１】
図６を参照すると、一対の円弧溝９１ｇ・９１ｇ及び円弧溝９２ｇ・９２ｇは、クランプ板９１及びクランプ板９２の長手方向に沿って、略平行に形成されている。一組の電線ｗ１・ｗ２を一対の円弧溝９１ｇ・９１ｇ及び円弧溝９２ｇ・９２ｇに収容して、ナット９ｎをスタッドボルト９ｂに螺合することにより、一組の電線ｗ１・ｗ２を所定の圧力で把持できる。
【００１２】
図６に示されたＰＧクランプ９は、一組の電線ｗ１・ｗ２の口径に対応して、別のＰＧクランプ９を用意する必要がある。又、図６に示されたＰＧクランプ９は、電線ｗ１の口径と電線ｗ２の口径が異なると、これらの口径に対応した円弧溝を有する一対のクランプ板９１・９２を用意する必要がある。
【００１３】
このように、特許文献１に開示された従来のＰＧクランプは、一組の電線ｗ１・ｗ２の口径が変ると、又は一方の電線ｗ１の口径と他方の電線ｗ２の口径が異なると、別のＰＧクランプ９を用意する必要があり、不便であるという問題がある。
【００１４】
図７は、従来技術による繊維強化電線用くさび型クランプに備わるくさび体及びクランプ体の構成を示す斜視図である。図８は、従来技術による繊維強化電線用くさび型クランプの構成を示す図であり、図８（Ａ）は、繊維強化電線用くさび型クランプの平面図、図８（Ｂ）は、繊維強化電線用くさび型クランプの正面図である。なお、本願の図７と図８（Ｂ）は、特許文献２の図１と図２に相当している。
【００１５】
図７又は図８を参照すると、従来技術による繊維強化電線用くさび型クランプ（以下、くさび型クランプと略称する）６は、テーパー管からなるくさび体６１と台形体状のクランプ体６２を備えている。くさび体６１には、繊維強化電線（以下、電線と略称する）Ｗｓを内部に挿通できる。クランプ体６２は、一端面から他端面に向けて縮径したテーパー穴６２ｈを開口している。
【００１６】
図７を参照すると、くさび体６１には、先端部の細径側から基端部の太径側に向かって、軸中心と略平行に切り欠いた複数のスリッ６１ｓを先端部に有している。テーパー穴６２ｈを介して、電線Ｗｓをくさび体６１の内部に挿通し、くさび体６１の細径側を先頭に、テーパー穴６２ｈの太径側からくさび体６１をテーパー穴６２ｈに打ち込むと、いわゆるくさび効果により、くさび体６１の細径側を縮径できる。そして、くさび体６１は、電線Ｗｓの外周方向から均一にクランプできる。
【００１７】
又、図８を参照すると、くさび型クランプ６は、一対の帯状の取り付け金具１３・１３、湾曲した樋状のジャンパ金具１４、及び、Ｕボルト１５を更に備えている。
【００１８】
図８を参照すると、くさび体６１は、一対の取り付け座６２ｂ・６２ｂを両側面に固定している。取り付け金具１３は、その一端部を取り付け座６２ｂに連結している。又、取り付け金具１３は、碍子を介して、他端部を鉄塔Ｔに係留できる（図５参照）。これにより、くさび型クランプ６は、電線Ｗｓを鉄塔Ｔに引き留めることができる。
【００１９】
図８を参照すると、ジャンパ金具１４は、ボルト部材１４ｂを用いて、一端部をくさび体６１の底部に固定している。ジャンパ金具１４の中間部は、電線Ｗｓを支持している。ジャンパ金具１４の他端部には、Ｕボルト１５を配置している。Ｕボルト１５は、電線Ｗｓをジャンパ金具１４に固定できる。
【００２０】
図７又は図８を参照すると、くさび型クランプ６は、電線Ｗｓをその外周方向から均一にクランプした状態で、電線Ｗｓを鉄塔Ｔに引き留めることができる。
【００２１】
しかし、従来技術によるくさび型クランプ６は、単線の電線をクランプすることが容易であっても、図５の中央部に記載されたＰＧクランプ９のように、互いに離反する方向に引き合う一組のジャンパ線をクランプすることは困難である、という問題がある。
【００２２】
口径の異なる複数種類のジャンパ線に対応できると共に、互いに離反する方向に引き合う一組のジャンパ線を機械的及び電気的に接続することが容易な、作業効率に優れたジャンパ線用くさび型クランプが求められている。そして、以上のことが本発明の課題といってよい。
【００２３】
本発明は、このような問題に鑑みてなされたものであり、互いに離反する方向に引き合う一組のジャンパ線を機械的及び電気的に接続することが容易なジャンパ線用くさび型クランプを提供することを目的とする。
【課題を解決するための手段】
【００２４】
本発明者らは、縮径方向が異なる一対のテーパー穴を開口したクランプ体と、ジャンパ線を挿通自在な貫通穴を中心部に開口したテーパー管からなる一対のくさび体でジャンパ線用くさび型クランプを構成することで、互いに離反する方向に引き合う一組のジャンパ線を機械的及び電気的に接続できることを見出し、これに基づいて、以下のような新たなジャンパ線用くさび型クランプを発明するに至った。
【００２５】
（１）本発明によるジャンパ線用くさび型クランプは、互いに離反する方向に引き合う一組のジャンパ線をクランプするためのジャンパ線用くさび型クランプであって、中心が互いに略平行に配置され、一方の面から他方の面に貫通した一対のテーパー穴を有し、一方の前記テーパー穴が一方の面から他方の面に向けて漸次縮径し、他方の前記テーパー穴が一方の面から他方の面に向けて漸次拡径した、略直方体の導電性を有するクランプ体と、前記ジャンパ線を挿通自在な貫通穴を中心部に開口し、前記テーパー穴の拡径側から細径側を先頭に当該テーパー穴に挿入自在な、テーパー管からなる一対の導電性を有するくさび体と、を備え、前記くさび体は、先端部の細径側から基端部の太径側に向かって、軸中心と略平行に切り欠いた複数のスリットを有し、前記くさび体を前記テーパー穴に打ち込んだ状態では、前記ジャンパ線をその外周方向から押圧自在に当該くさび体の貫通穴を縮径できる。
【００２６】
（２）前記くさび体は、前記ジャンパ線の口径に対応し、前記貫通穴の直径が異なる複数種類のくさび体からなることが好ましい。
【００２７】
（３）前記くさび体は、細径側から太径側に向けて延在し、外周から突出した回り止め用の一つ以上のキーを有し、前記クランプ体は、前記キーに嵌合するキー溝を前記テーパー穴の内壁に穿設していることが好ましい。
【００２８】
（４）前記くさび体は、抜け止め用の鍔部を太径側に有していることが好ましい。
【００２９】
（５）本発明によるジャンパ線用くさび型クランプは、前記くさび体の細径側の端面に当接自在な半円弧体状のくさび体押し当て具を更に備えることが好ましい。
【発明の効果】
【００３０】
本発明によるジャンパ線用くさび型クランプは、縮径方向が異なる一対のテーパー穴を開口したクランプ体と、ジャンパ線を挿通自在な貫通穴を中心部に開口したテーパー管からなる一対のくさび体と、を備え、ジャンパ線を貫通穴に挿通し、くさび体をテーパー穴に打ち込んだ状態では、一組のジャンパ線を互いに離反が困難に機械的及び電気的に接続できる。
【図面の簡単な説明】
【００３１】
【図１】本発明の一実施形態によるジャンパ線用くさび型クランプの構成を示す斜視図である。
【図２】前記実施形態によるジャンパ線用くさび型クランプの構成を示す斜視分解組立図である。
【図３】前記実施形態によるジャンパ線用くさび型クランプの構成を示す図であり、図３（Ａ）は、ジャンパ線用くさび型クランプの正面図、図３（Ｂ）は、ジャンパ線用くさび型クランプの右側面図である。
【図４】前記実施形態によるジャンパ線用くさび型クランプを用いた送電線路の構成を示す正面図である。
【図５】従来技術によるＰＧクランプを用いた送電線路の構成を示す正面図である。
【図６】従来技術によるＰＧクランプの構成を示す図であり、図６（Ａ）は、ＰＧクランプの正面図、図６（Ｂ）は、ＰＧクランプの右側面図である。
【図７】従来技術による繊維強化電線用くさび型クランプに備わるくさび体及びクランプ体の構成を示す斜視図である。
【図８】図８は、従来技術による繊維強化電線用くさび型クランプの構成を示す図であり、図８（Ａ）は、繊維強化電線用くさび型クランプの平面図、図８（Ｂ）は、繊維強化電線用くさび型クランプの正面図である。
【発明を実施するための形態】
【００３２】
以下、図面を参照して本発明を実施するための形態を説明する。
［ジャンパ線用くさび型クランプの構成］
最初に、本発明の一実施形態によるジャンパ線用くさび型クランプの構成を説明する。図１は、本発明の一実施形態によるジャンパ線用くさび型クランプの構成を示す斜視図である。図２は、前記実施形態によるジャンパ線用くさび型クランプの構成を示す斜視分解組立図である。
【００３３】
図３は、前記実施形態によるジャンパ線用くさび型クランプの構成を示す図であり、図３（Ａ）は、ジャンパ線用くさび型クランプの正面図、図３（Ｂ）は、ジャンパ線用くさび型クランプの右側面図である。
【００３４】
図４は、前記実施形態によるジャンパ線用くさび型クランプを用いた送電線路の構成を示す正面図である。なお、従来技術で用いた符号と同じ符号を付した構成品は、その作用を同一にするので以下説明を省略することがある。
【００３５】
（全体構成）
図１から図４を参照すると、本発明の一実施形態によるジャンパ線用くさび型クランプ（以下、くさび型クランプと略称する）１０は、略直方体の導電性を有するクランプ体１とテーパー管からなる一対の導電性を有するくさび体２・２を備えている。
【００３６】
図１から図３を参照すると、クランプ体１は、中心が互いに略平行に配置された一対のテーパー穴１ａ・１ｂを有している（図２参照）。一対のテーパー穴１ａ・１ｂは、クランプ体１の一方の面Ｓｆから他方の面Ｓｅに貫通している。
【００３７】
図１から図３を参照すると、一方のテーパー穴１ａは、クランプ体１の一方の面Ｓｆから他方の面Ｓｅに向けて、漸次縮径している。他方のテーパー穴１ｂは、クランプ体１の一方の面Ｓｆから他方の面Ｓｅに向けて、漸次拡径している。
【００３８】
図１から図３を参照すると、くさび体２は、貫通穴２ｈを中心部に開口している。貫通穴２ｈには、ジャンパ線７２を挿通できる。くさび体２は、その細径側を先頭に、テーパー穴１ａ又はテーパー穴１ｂの拡径側から、テーパー穴１ａ又はテーパー穴１ｂに挿入できる。
【００３９】
図１から図３を参照すると、くさび体２は、先端部の細径側から基端部の太径側に向かって、切り欠いた一対のスリット２ｓ・２ｓを有している。一対のスリット２ｓ・２ｓは、くさび体２の軸中心と略平行に切り欠いている。
【００４０】
図１又は図３を参照して、一対のくさび体２・２をテーパー穴１ａ・１ｂに打ち込んだ状態では、これらのくさび体２・２は、ジャンパ線７２をその外周方向から押圧自在に、くさび体２の貫通穴２ｈを縮径できる。
【００４１】
図１から図４を参照すると、実施形態によるくさび型クランプ１０は、縮径方向が異なる一対のテーパー穴１ａ・１ｂを開口したクランプ体１と、ジャンパ線７２を挿通自在な貫通穴２ｈを中心部に開口したテーパー管からなる一対のくさび体２・２と、を備え、ジャンパ線７２を貫通穴２ｈに挿通し、一対のくさび体２・２をかに・１ｂに打ち込んだ状態では、一組のジャンパ線７２・７２を互いに離反が困難に機械的及び電気的に接続できる（図４参照）。
【００４２】
（クランプ体の構成）
次に、実施形態によるクランプ体１の構成を説明する。図１から図３を参照して、クランプ体１は、耐圧性、耐摩耗性、被削性、及び鋳造性に優れた青銅鋳物からなってよく、耐食性、じん性、及び陽極酸化性に優れたアルミニウム合金鋳物からなってもよい。
【００４３】
図１から図３を参照して、クランプ体１が青銅鋳物からなる場合は、くさび体２は、同種の金属である青銅鋳物からなることが好ましい。この場合、ジャンパ線７２には、硬銅より線（ＨＤＣＣ）を用いることが好ましい。
【００４４】
一方、図１から図３を参照して、クランプ体１がアルミニウム合金鋳物からなる場合は、くさび体２は、同種の金属であるアルミニウム合金鋳物からなることが好ましい。この場合、ジャンパ線７２には、鋼心アルミより線（ＡＣＳＲ）を用いることが好ましい。
【００４５】
又、図１から図３を参照して、クランプ体１がアルミニウム合金鋳物であって、一方のくさび体２が青銅鋳物からなり、他方のくさび体２がアルミニウム合金鋳物からなる組み合わせも可能である。この場合、一方のくさび体２には、硬銅より線からなるジャンパ線７２を用いることが好ましく、他方のくさび体２には、鋼心アルミより線からなるジャンパ線７２を用いることが好ましい。
【００４６】
図１から図３を参照して、一対のテーパー穴１ａ・１ｂの内壁には、必要に応じて、導電性のコンパウンドを塗布することが好ましく、クランプ体１とくさび体２との接触抵抗を低減できる。
【００４７】
図１又は図２を参照すると、クランプ体１は、一対のキー溝１ｄ・１ｄをテーパー穴１ａ又はテーパー穴１ｂの内壁に穿設している。これらのキー溝１ｄ・１ｄには、後述するキー２ｋに嵌合できる（図１から図３参照）。そして、キー２ｋがキー溝１ｄに嵌合することで、クランプ体１に対して、くさび体２を回り止めできる。
【００４８】
（くさび体の構成）
次に、実施形態によるくさび体２の構成を説明する。図１から図３を参照すると、くさび体２は、外周から山形に突出した一対のキー２ｋ・２ｋを有している。一対のキー２ｋ・２ｋは、相反する向きに突出している。又、一対のキー２ｋ・２ｋは、くさび体２の細径側から太径側に向けて延在している。
【００４９】
図１から図３を参照して、一方のくさび体２の細径側を先頭に、テーパー穴１ａの太径側から一方のくさび体２をテーパー穴１ａに打ち込むと、キー２ｋがキー溝１ｄに嵌合することで、クランプ体１に対して、一方のくさび体２を回り止めできる。
【００５０】
又、図１から図３を参照して、他方のくさび体２の細径側を先頭に、テーパー穴１ｂの太径側から他方のくさび体２をテーパー穴１ｂに打ち込むと、キー２ｋがキー溝１ｄに嵌合することで、クランプ体１に対して、他方のくさび体２を回り止めできる。
【００５１】
図１から図３を参照すると、くさび体２は、鍔部２ｆを太径側に有している。一方のくさび体２の細径側を先頭に、テーパー穴１ａの太径側から一方のくさび体２をテーパー穴１ａに過剰に打ち込むと、鍔部２ｆが一方の面Ｓｆに当接して、クランプ体１に対して、一方のくさび体２を抜け止めできる。
【００５２】
又、図１から図３を参照して、他方のくさび体２の細径側を先頭に、テーパー穴１ｂの太径側から他方のくさび体２をテーパー穴１ｂに過剰に打ち込むと、鍔部２ｆが他方の面Ｓｅに当接して、クランプ体１に対して、他方のくさび体２を抜け止めできる。
【００５３】
図１から図３を参照して、くさび体２は、ジャンパ線７２の口径ｄに対応し、くさび体２の貫通穴２ｈの直径Ｄが異なる複数種類のくさび体２を用意しておくことが好ましい。硬銅より線（ＨＤＣＣ）をジャンパ線７２に用いる場合には、公称断面積が５５ｍｍ2から１２５ｍｍ2のＨＤＣＣに対応して、貫通穴２ｈの直径Ｄを決定することが好ましい。一方、鋼心アルミより線（ＡＣＳＲ）をジャンパ線７２に用いる場合には、公称断面積が１２０ｍｍ2から３３０ｍｍ2のＡＣＳＲに対応して、貫通穴２ｈの直径Ｄを決定することが好ましい。
【００５４】
（くさび体押し当て具の構成）
次に、実施形態によるくさび体押し当て具３の構成を説明する。図１を参照すると、くさび型クランプ１０は、半円弧体状のくさび体押し当て具３を更に備えている。くさび体押し当て具３の一方の端面をくさび体２の細径側の端面に当接し、くさび体押し当て具３の他方の端面をハンマ（図示せず）で打撃することで、くさび体２をクランプ体１から容易に引き抜くことができる。
【００５５】
図１を参照して、くさび体２が青銅鋳物からなる場合は、青銅鋳物製のくさび体押し当て具３を用いることが好ましい。くさび体２がアルミニウム合金鋳物からなる場合は、青アルミニウム合金鋳物製のくさび体押し当て具３を用いることが好ましい。
【００５６】
［ジャンパ線用くさび型クランプの作用］
次に、実施形態によるくさび型クランプ１０の適用例を説明しながら、くさび型クランプ１０の作用及び効果を説明する。
【００５７】
図４を参照すると、くさび型クランプ１０は、一方のジャンパ線７２と他方のジャンパ線７２を機械的及び電気的に接続している。図３又は図４を参照して、一方のジャンパ線７２を一方のくさび体２の貫通穴２ｈに挿通し、一方のくさび体２をその細径側を先頭に、テーパー穴１ａの太径側から一方のくさび体２をテーパー穴１ａに打ち込むと、貫通穴２ｈが縮径することで、くさび効果により、一方のジャンパ線７２を把持できる。
【００５８】
一方、図３又は図４を参照して、他方のジャンパ線７２を一方のくさび体２の貫通穴２ｈに挿通し、他方のくさび体２をその細径側を先頭に、テーパー穴１ｂの太径側から他方のくさび体２をテーパー穴１ｂに打ち込むと、貫通穴２ｈが縮径することで、くさび効果により、他方のジャンパ線７２を把持できる。
【００５９】
図１から図４を参照すると、実施形態によるジャンパ線用くさび型クランプ１０は、縮径方向が異なる一対のテーパー穴１ａ・１ｂを開口したクランプ体１と、ジャンパ線７２を挿通自在な貫通穴２ｈを中心部に開口したテーパー管からなる一対のくさび体２・２と、を備え、ジャンパ線７２を貫通穴２ｈに挿通し、一対のくさび体２・２をかに・１ｂに打ち込んだ状態では、一組のジャンパ線７２・７２を互いに離反が困難に機械的及び電気的に接続できる（図４参照）。
【００６０】
図１から図３を参照すると、くさび体２は、ジャンパ線７２の口径ｄに対応して、貫通穴２ｈの直径Ｄが異なる複数種類のくさび体２からなっているので、口径ｄが異なるジャンパ線７２を相互に容易に接続できる。
【００６１】
又、くさび体２は、細径側から太径側に向けて延在し、外周から突出した回り止め用の一つ以上のキー２ｋを有し、クランプ体１は、キー２ｋに嵌合するキー溝１ｄをテーパー穴１ａ又はテーパー穴１ｂの内壁に穿設しているので、クランプ体１に対して、くさび体２を回り止めできる。又、くさび体２は、鍔部２ｆを太径側に有しているので、クランプ体１に対して、くさび体２を抜け止めできる。
【００６２】
図１を参照すると、くさび型クランプ１０は、半円弧体状のくさび体押し当て具３を備えているので、くさび体２をクランプ体１から容易に引き抜くことができる。
【００６３】
本発明によるジャンパ線用くさび型クランプは、次のような効果を期待できる。
（１）一組のジャンパ線を電気的に接続するために、クランプ体に開口したテーパー穴にくさび体を打ち込むだけでよく、高度な技術又は技能を要しないため、作業も容易であり、短時間で済む。
（２）圧縮型スリーブに使用する圧縮機などを不要とし、鉄塔上での作業性を向上できる。
（３）クランプ体又はくさび体は、特殊な形状や材質ではないので、速やかな事故復旧が可能となり、停電時間の短縮などにより顧客満足度を向上できる。
（４）口径が異なるジャンパを相互に容易に接続できるため、多種類の事故復旧用の圧縮スリーブを保有する必要がなく、コスト低減となる。
（５）クランプ体は、硬銅より線用と鋼心アルミより線用（異種兼用）の２種類とし、ジャンパ線の口径に関わらず、同じ外形とすることで、コスト低減となり、保有管理も容易である。
【符号の説明】
【００６４】
１  クランプ体
１ａ・１ｂ  一対のテーパー穴
２  くさび体
２ｈ  貫通穴
２ｓ  スリット
１０  くさび型クランプ（ジャンパ線用くさび型クランプ）
７２  ジャンパ線
Ｓｅ  他方の面
Ｓｆ  一方の面
【図１】
2017163707.tif 000003
【図２】
2017163707.tif 000004
【図３】
2017163707.tif 000005
【図４】
2017163707.tif 000006
【図５】
2017163707.tif 000007
【図６】
2017163707.tif 000008
【図７】
2017163707.tif 000009
【図８】
2017163707.tif 000010